(57)【要約】【課題】波形保持器のポケット部とリベット頭部との干渉を防ぎ、波形保持器やリベットの破損を防止することができる玉軸受を提供することである。【解決手段】波形保持器を構成する保持器構成部材を締結するリベット３は、平面部２ｂ間に配される中心軸部３ｅと、中心軸部３ｅの両端にて中心軸部３ｅよりも小径に形成されるとともに、平面部２ｂの中心に設けられたリベット孔部２ｃから平面部外方に突出される両先端軸部３ｃとで構成され、平面部２ｂは、中心軸部３ｅよりも小径で先端軸部３ｃが挿入又は圧入可能な径としたリベット孔部２ｃを備えるとともに、リベット孔部２ｃを通過して平面部上にて加締められたリベット３の両先端軸部３ｃと玉保持部２ａ外周との間にスペースを有する長尺状に形成されている。【選択図】図１
2017150584.tif 000002
【特許請求の範囲】
【請求項１】
相対回転可能に配される外輪と内輪と、前記外輪と前記内輪との間に配される複数個の玉と、これら玉を転動可能に収容する保持器を含み、前記保持器は、平面部と、平面部から半球状に膨出する玉保持部とが円周方向に交互に形成されて構成された一対の環状の保持器構成部材と、それぞれの平面部同士を対向させて締結するリベットとで構成され、対向する玉保持部同士がそれぞれ玉を収容するポケット部を形成する波形保持器である玉軸受であって、
前記リベットは、前記平面部間に配される中心軸部と、
前記中心軸部の両端にて中心軸部よりも小径に形成されるとともに、前記平面部の中心に設けられたリベット孔部から平面部外方に突出される両先端軸部とで構成され、
前記平面部は、前記中心軸部よりも小径で前記先端軸部が挿入又は圧入可能な径としたリベット孔部を備えるとともに、前記リベット孔部を通過して平面部上にて加締められたリベットの両先端軸部と玉保持部外周との間にスペースを有する長尺状に形成されていることを特徴とする玉軸受としたことである。
【請求項２】
前記リベットの中心軸部と先端軸部との間に、前記保持器構成部材の前記リベット孔に圧入される締め代部を備えたことを特徴とする請求項１に記載の玉軸受。
【発明の詳細な説明】
【技術分野】
【０００１】
本発明は、玉軸受に関し、特に波形保持器において、リベット頭部とポケット部との干渉防止に関する。
【背景技術】
【０００２】
玉軸受に用いられる波形保持器として、従来、例えば図５に示すものが提案されている。この波形保持器は、平面部１０ｂと、平面部１０ｂから半球状に膨出する玉保持部１０ａとが円周方向に交互に形成されて構成された一対の環状の保持器構成部材１０を、それぞれの平面部１０ｂ同士を突き合わせるとともにリベット１１で結合することにより、対向する玉保持部１０ａ同士がそれぞれポケット部１２を形成するように構成されている。  軸受の長寿命のためには玉軸受の定格荷重を向上させることが望ましく、定格荷重を向上させる手段の一つとして玉数を増やす方法がある。ここで、玉のＰ．Ｃ．Ｄ（Ｐｉｔｃｈ  Ｃｉｒｃｌｅ  Ｄｉａｍｅｔｅｒ：ピッチ円直径）を変えずに玉数を増やそうとすると、玉１３と玉１３の間の間隔が狭くなり、通常使用される波形保持器の形態では、玉保持部１０ａの外周面とリベット頭部（ヘッド）１１ａとが干渉する虞がある。
【０００３】
その解決策として、例えば特許文献１が提案されている。この先行技術は、一端に予め頭部を備えた大径軸部と、大径軸部の他端から連続して設けられた小径軸部とで構成されたリベット（頭部付きリベット）を採用し、小径軸部を一方の保持器構成部材のリベット孔部に通して平面部の外方にて加締めることで対の保持器構成部材を締結している。すなわち、大径軸部を設けることにより対の保持器構成部材間に所定の隙間を形成することができ、これによりポケット部が大径となって大径の玉を組み込むことが可能となることで玉のＰ．Ｃ．Ｄを大きくしているものである。
【先行技術文献】
【特許文献】
【０００４】
【特許文献１】特開２００２−３６４６４９号公報
【発明の概要】
【発明が解決しようとする課題】
【０００５】
しかしながら、特許文献１に記載の頭部付きリベットでは、予め設けられている頭部に至るまで大径軸部がストレート形状であるため、リベットのゆるみ、座屈の問題が生じる。
また、対となる保持器構成部材のリベット孔径がそれぞれ異なるために別部品となり、製造工程数が増える・管理手間が増えるなどの問題があった。
【０００６】
そこで、本発明は、従来技術の有するこのような問題点を解決するためになされたものであり、その目的は、波形保持器のポケット部とリベット頭部との干渉を防ぎ、波形保持器やリベットの破損を防止することができる玉軸受を提供することである。
【課題を解決するための手段】
【０００７】
この目的を達成するために、第一の本発明は、相対回転可能に配される外輪と内輪と、前記外輪と前記内輪との間に配される複数個の玉と、これら玉を転動可能に収容する保持器を含み、前記保持器は、平面部と、平面部から半球状に膨出する玉保持部とが円周方向に交互に形成されて構成された一対の環状の保持器構成部材と、それぞれの平面部同士を対向させて締結するリベットとで構成され、対向する玉保持部同士がそれぞれ玉を収容するポケット部を形成する波形保持器である玉軸受であって、前記リベットは、前記平面部間に配される中心軸部と、前記中心軸部の両端にて中心軸部よりも小径に形成されるとともに、前記平面部の中心に設けられたリベット孔部から平面部外方に突出される両先端軸部とで構成され、前記平面部は、前記平面部上にて加締められたリベットの両先端軸部と玉保持部外周との間にスペースを有する長尺状に形成されていることを特徴とする玉軸受としたことである。
また、第二の本発明は、第一の発明において、前記リベットの中心軸部と先端軸部との間に、前記保持器構成部材の前記リベット孔部に圧入される締め代部を備えたことを特徴とする玉軸受としたことである。
【発明の効果】
【０００８】
本発明によれば、波形保持器のポケット部とリベット頭部との干渉を防ぎ、波形保持器やリベットの破損を防止することができる玉軸受を提供することである。
【図面の簡単な説明】
【０００９】
【図１】本発明による玉軸受の第一実施形態を一部省略して示す概略断面図である。
【図２】（ａ）は本発明による玉軸受の第一実施形態の波形保持器を一部省略して示す概略断面図で、（ｂ）は第一実施形態の加締め前のリベットを示す図である。
【図３】本発明による玉軸受の第二実施形態を一部省略して示す概略断面図である。
【図４】（ａ）は本発明による玉軸受の第三実施形態の組立てを示す概略断面図で、（ｂ）は第三実施形態の加締め前のリベットを示す図である。
【図５】従来の玉軸受を示す概略断面図である。
【発明を実施するための形態】
【００１０】
以下、本発明による玉軸受の第一実施形態について、添付図面を参照して説明する。図１は本発明の玉軸受の第一実施形態、図３は第二実施形態、図４は第三実施形態をそれぞれ示す。なお、本実施形態は、本発明の一実施形態であって、何等これに限定解釈されるものではなく本発明の範囲内で設計変更可能である。
【００１１】
［第一実施形態］
本発明による実施形態の玉軸受は、外輪と内輪と、外輪と内輪との間に配される複数個の玉と、これらの玉を転動可能に収容する保持器と、対向する玉保持部同士がそれぞれ玉を収容するポケット部２ｄを形成している。
図１は、保持器が組み立てられた状態を図示している。保持器は、波形保持器で、平面部２ｂと、平面部２ｂから半球状に膨出する玉保持部２ａとが円周方向に交互に形成されて構成された一対の環状の保持器構成部材２と、それぞれの平面部２ｂ同士を対向させて締結するリベット３とで構成されている。平面部２ｂから半球状に膨出する玉保持部２ａの湾曲形状は玉の球面に対応している。
【００１２】
平面部２ｂは、平面部２ｂ上にて加締められたリベット３のリベット頭部３ａと玉保持部２ａの外周との間にスペースを有する長尺状に形成されている。これにより、波形保持器の玉保持部２ａの外周（ポケット部２ｄの外周面）と加締め後のリベット頭部３ａが干渉しないようにすることができる。
また、平面部２ｂには、平面部２ｂの中央にリベット３を加締めるリベット孔部２ｃが形成されている。
【００１３】
リベット３は、図２（ａ）、（ｂ）に示すように、平面部２ｂ間に配される中心軸部３ｅと、中心軸部３ｅの両端にて中心軸部３ｅよりも小径に形成されるとともに、平面部２ｂの中心に設けられたリベット孔部２ｃから平面部２ｂ外方に突出される両先端軸部３ｃとで構成されている。
従来の保持器挿入前のリベットは、片側に頭部を持ち、反頭部側の先端は波形保持器のリベット穴径よりも小さい径であったが、本実施形態のリベット３は両先端軸３ｃの径を小さくすることにより、保持器挿入前のリベット３には頭部を持たない構造としている。これにより、従来よりも加締め後のリベット３の両頭部３ａの径を小さくすることができ、かつ保持器の平面部２ｂが広いために、保持器のポケット部２ｄと加締め後のリベット頭部３ａとの干渉を防止することが可能となる。
【００１４】
リベット３は、上記としたとおり、リベット孔部２ｃと両先端軸部３ｃと同一径とし、保持器に圧入されるリベット３の両先端軸部３ｃの径を中心軸部３ｅの径よりも、小さく形成されている。図２（ｂ）には、中心軸部３ｅが形成され、所定の段差を持って両先端軸部３ｃが形成され、その両先端軸部３ｃの先端部３ｂは、リベット孔部２ｃにガイドするために先細りの台形状に形成されていることが図示されている。
これにより、対となる波形保持器のリベット穴径が同じであるため、コストや工数を削減することができる。
【００１５】
図２（ａ）、（ｂ）により、波型保持器の組立を説明する。
保持器構成部材２の平面部２ｂには、リベット３の両先端軸部３ｃを圧入させるためのリベット孔部２ｃが形成されている。保持器を組み立てる場合は、保持器構成部材２、２を図２（ａ）のように対向させ、リベット３をリベット孔部２ｃのいずれかの外側から挿入する。この際、先端部３ｂ及び両先端軸部３ｃはリベット孔部２ｃを抜けるものの、中心軸部３ｅはリベット孔部２ｃを抜けることはできない。
先端部３ｂ及び両先端軸部３ｃがリベット孔部２ｃを圧入するので、その先端部３ｂ及び両先端軸部３ｃを加締めて保持器構成部材２、２が一体化され保持器が組み立てられる。
【００１６】
［第二実施形態］
第二実施形態は、第一実施形態の加締め後のリベット頭部３ａを台形から半円の形状としたものである。保持器構成部材２には、湾曲状の玉保持部２ａが形成されるとともに、平面部２ｂが形成され、玉保持部２ａと玉保持部２ａと、また、平面部２ｂと平面部２ｂとが対向配置されている。また、組立て前のリベット３の形状と組立て方法は第一実施形態の説明と同様である。
本実施形態では、先端部３ｂ及び両先端軸部３ｃをリベット孔部２ｃに圧入させ、その先端部３ｂを加締める際に、リベット頭部３ａを台形から半円の形状にして保持器構成部材２、２が一体化され波形保持器が組み立てられる。
【００１７】
［第三実施形態］
第三実施形態は、第一実施形態のリベット３において、リベット３の中心軸部３ｅと先端軸部３ｃとの間に、保持器構成部材２のリベット孔部２ｃに圧入される締め代３ｆを備えたものである（図４（ｂ）参照）。保持器構成部材２のいずれか一方に、締め代３ｆを形成したリベット３を圧入して固定しておけばよい（図４（ａ）参照）。
これにより、リベット３を圧入した保持器を事前に準備しておくことが出来るため、軸受生産効率（保持器加締め作業）を上げる際に採用することができる。
【符号の説明】
【００１８】
２    保持器構成部材
３    リベット
１２  ポケット部
１３  玉
【図１】
2017150584.tif 000003
【図２】
2017150584.tif 000004
【図３】
2017150584.tif 000005
【図４】
2017150584.tif 000006
【図５】
2017150584.tif 000007